(57)【要約】【課題】短絡故障を抑制することができる端子台、スイッチおよび電力変換装置を得ること。【解決手段】端子台１は、熱硬化性樹脂で形成されて、電線が固定可能とされた金具４が設けられる台座３と、当該台座３から離して配置された、熱硬化性樹脂で形成され、電線が固定可能とされた金具４が設けられる台座３と、熱可塑性樹脂で形成されて複数の台座３が載置された本体２とを備える。【選択図】図１
2019096574.tif 000002
【特許請求の範囲】
【請求項１】
電線が固定可能とされた第１の導電体と、
電線が固定可能とされた第２の導電体と、
熱硬化性樹脂で形成されて前記第１の導電体が設けられる第１の台座と、
熱硬化性樹脂で形成され、前記第２の導電体が設けられるとともに前記第１の台座から離して配置された第２の台座と、
熱可塑性樹脂で形成されて前記第１の台座および前記第２の台座が載置されたベースとを備える
ことを特徴とする端子台。
【請求項２】
前記第１の台座の底面は、前記ベースに密着し、
前記第２の台座の底面は、前記ベースに密着している
ことを特徴とする請求項１に記載の端子台。
【請求項３】
前記第１の台座には、前記ベースに向けて突出する第１の脚部が形成されて、前記第１の台座と前記ベースとの間に空間が形成され、
前記第２の台座には、前記ベースに向けて突出する第２の脚部が形成されて、前記第２の台座と前記ベースとの間に空間が形成されている
ことを特徴とする請求項１に記載の端子台。
【請求項４】
前記ベースには、前記第１の台座と前記第２の台座との間に、壁部が形成されており、
前記壁部は熱可塑性樹脂で形成されている
ことを特徴とする請求項１から３のいずれか１項に記載の端子台。
【請求項５】
前記ベースには、前記第１の台座を間に挟んで対向する壁部と、
前記第２の台座を間に挟んで対向する壁部とが形成されており、
前記壁部は、熱可塑性樹脂で形成されている
ことを特徴とする請求項１から３のいずれか１項に記載の端子台。
【請求項６】
前記第１の台座と前記壁部との間に隙間が形成され、
前記第２の台座と前記壁部との間に隙間が形成されている、
ことを特徴とする請求項４または５に記載の端子台。
【請求項７】
前記第１の台座と前記壁部とは当接し、
前記第２の台座と前記壁部とは当接している、
ことを特徴とする請求項４または５に記載の端子台。
【請求項８】
前記第１の台座には、前記ベースに向けて突出する第１の脚部が形成され、
前記第２の台座には、前記ベースに向けて突出する第２の脚部が形成され、
前記第１の脚部には、前記第１の脚部と同じ方向に突出する第１の突出部が形成され、
前記第２の脚部には、前記第２の脚部と同じ方向に突出する第２の突出部が形成され、
前記ベースのうちの前記第１の台座が載置される面には、第１の突出部が嵌まる第１の溝が形成され、
前記ベースのうちの前記第２の台座が載置される面には、第２の突出部が嵌まる第２の溝が形成され、
前記第１の溝が延びる方向から見た場合に、前記第１の突出部は、台形形状であり、前記第１の溝は、前記第１の突出部の形状と同一の台形形状であり、
前記第２の溝が延びる方向から見た場合に、前記第２の突出部は、台形形状であり、前記第２の溝は、前記第２の突出部の形状と同一の台形形状である
ことを特徴とする請求項１に記載の端子台。
【請求項９】
前記ベースのうちの前記第１の台座が載置される面には、前記第１の台座に向けて突出する第３の突出部が形成され、
前記ベースのうちの前記第２の台座が載置される面には、前記第２の台座に向けて突出する第４の突出部が形成され、
前記第１の台座には、第３の突出部が嵌まる第３の溝が形成され、
前記第２の台座には、第４の突出部が嵌まる第４の溝が形成され、
前記ベースを前記第１の台座および前記第２の台座の下方にして前記第３の溝が延びる方向から見た場合に、前記第３の突出部は、逆台形形状であり、前記第３の溝は、前記第３の突出部の形状と同一の逆台形形状であり、
前記ベースを前記第１の台座および前記第２の台座の下方にして前記第４の溝が延びる方向から見た場合に、前記第４の突出部は、逆台形形状であり、前記第４の溝は、前記第４の突出部の形状と同一の逆台形形状である
ことを特徴とする請求項１に記載の端子台。
【請求項１０】
前記ベースを底面とし、前記壁部を側面とする第５の溝が形成され、
前記第５の溝が延びる方向から見た場合に、前記第５の溝は、台形形状である、
ことを特徴とする請求項７に記載の端子台。
【請求項１１】
前記第１の台座と前記ベースとの間に設けられた第１の断熱材と、
前記第２の台座と前記ベースとの間に設けられた第２の断熱材とを備える
ことを特徴とする請求項７に記載の端子台。
【請求項１２】
電線が固定可能とされた第３の導電体と、
熱硬化性樹脂で形成され、前記第３の導電体が設けられるとともに前記第１の台座および前記第２の台座から離して配置された第３の台座とを備え、
前記ベースには前記第３の台座が載置される
ことを特徴とする請求項１から１１のいずれか１項に記載の端子台。
【請求項１３】
電線が固定可能とされた第１の導電体と、
電線が固定可能とされた第２の導電体と、
電線が固定可能とされた第３の導電体と、
電線が固定可能とされた第４の導電体と、
前記第１の導電体と前記第２の導電体との間の電路を開閉するとともに、前記第３の導電体と前記第４の導電体との間の電路を開閉する開閉部と、
熱硬化性樹脂で形成され、前記第１の導電体が設けられる第１の台座部分と、
熱硬化性樹脂で形成され、前記第２の導電体が設けられるとともに前記第１の台座部分から離して配置された第２の台座部分と、
熱硬化性樹脂で形成され、前記第３の導電体が設けられるとともに前記第１の台座部分および前記第２の台座部分から離して配置された第３の台座部分と、
熱硬化性樹脂で形成され、前記第４の導電体が設けられるとともに前記第１の台座部分、前記第２の台座部分および前記第３の台座部分から離して配置された第４の台座部分とを備える
ことを特徴とするスイッチ。
【請求項１４】
請求項１から１２のいずれか１項に記載の端子台、および請求項１３に記載のスイッチの少なくとも一方を備える
ことを特徴とする電力変換装置。
【発明の詳細な説明】
【技術分野】
【０００１】
本発明は、複数の電線が固定可能とされた端子台、スイッチおよび電力変換装置に関する。
【背景技術】
【０００２】
パワーエレクトロニクス分野で用いられている端子台には、数Ａから数百Ａといった電流が流れる電線が接続されることがある。
【０００３】
特許文献１に記載の技術では、端子装置の本体は、熱硬化性樹脂で形成した下部本体と、熱可塑性樹脂で形成された上部本体とよりなる複合構造物となっている。下部本体は、接続端子が埋め込みなどで固定される台座部となっている。上部本体には熱可塑性樹脂よりなる絶縁用仕切と中央仕切部とが一体に形成されている。
【先行技術文献】
【特許文献】
【０００４】
【特許文献１】特開平７−７３９１７号公報
【発明の概要】
【発明が解決しようとする課題】
【０００５】
しかしながら、上述した特許文献１に記載の技術では、隣接する２つの接続端子が、同一の下部本体に固定されている。上述したように、下部本体は熱硬化性樹脂で形成されている。たとえば、電線を固定している電線固定用のねじが緩んだ場合には、電線と接続端子との接触抵抗の増加により接続端子で熱が発生する。接続端子で発生した熱によって熱硬化性樹脂の温度が上昇すると、熱硬化性樹脂の炭化が進む。熱硬化性樹脂は、炭化することで電気を通す導電性の性質を示す。このため、隣接する２つの接続端子に異なる電圧となる電線が接続される場合に、炭化した熱硬化性樹脂で形成されている下部本体が、隣接する２つの接続端子を接続する電路を形成し、短絡故障が発生してしまう、という問題があった。異なる電圧となる電線は、異極の電圧となる電線または同極の異なる電圧となる電線である。
【０００６】
本発明は、上記に鑑みてなされたものであって、短絡故障を抑制することができる端子台を得ることを目的とする。
【課題を解決するための手段】
【０００７】
上述した課題を解決し、目的を達成するために、本発明にかかる端子台は、電線が固定可能とされた第１の導電体を備える。端子台は、電線が固定可能とされた第２の導電体を備える。端子台は、熱硬化性樹脂で形成されて第１の導電体が設けられる第１の台座を備える。端子台は、熱硬化性樹脂で形成され、第２の導電体が設けられるとともに第１の台座から離して配置された第２の台座を備える。端子台は、熱可塑性樹脂で形成されて第１の台座および第２の台座が載置されたベースを備える。
【発明の効果】
【０００８】
本発明によれば、短絡故障を抑制することができる、という効果を奏する。
【図面の簡単な説明】
【０００９】
【図１】本発明の実施の形態１にかかる端子台の一例を示す斜視図
【図２】図１における台座および金具を示す斜視図
【図３】図１の端子台を示す正面図
【図４】本発明の実施の形態２にかかる端子台の一例を示す正面図
【図５】図４における本体の下部を示す平面図
【図６】本発明の実施の形態３にかかる端子台の一例を示す正面図
【図７】図６における台座および金具を示す正面図
【図８】図６における本体の下部を示す平面図
【図９】図６における本体の変形例を示す正面図
【図１０】本発明の実施の形態４にかかる端子台の一例を示す斜視図
【図１１】本発明の実施の形態５にかかる端子台の一例を示す斜視図
【図１２】図１１の端子台を示す正面図
【図１３】本発明の実施の形態６にかかる端子台の一例を示す正面図
【図１４】図１３における台座および金具を示す正面図
【図１５】図１３における台座の変形例を示す正面図
【図１６】本発明の実施の形態７にかかる端子台の一例を示す正面図
【図１７】本発明の実施の形態８にかかるスイッチの一例を示す平面図
【図１８】図１７のスイッチを示す右側面図
【図１９】図１７における本体上部および壁部を示す正面図
【図２０】図１７における本体上部および壁部を示す右側面図
【図２１】図１７における台座および金具を示す斜視図
【図２２】図２１において台座を除いた斜視図
【図２３】図１７のスイッチがＯＦＦの時の線ＸＸIII−ＸＸIIIに沿う断面図
【図２４】図１７のスイッチがＯＮの時の線ＸＸIII−ＸＸIIIに沿う断面図
【図２５】図２４において本体上部および壁部を除いた断面図
【図２６】図１７における台座の変形例を示す斜視図
【図２７】本発明の実施の形態９にかかるスイッチの一例を示す右側面図
【図２８】図２７における台座および金具を示す平面図
【図２９】図２７において本体上部および壁部を除いた、スイッチがＯＮの時の線ＸＸIＸ−ＸＸIＸに沿う断面図
【図３０】図２７における台座の変形例を示す平面図
【図３１】本発明の実施の形態１０にかかる電力変換装置の構成を説明するための図
【図３２】図３１における電力変換装置の変形例を説明するための図
【図３３】図３１における電力変換装置の変形例を説明するための図
【発明を実施するための形態】
【００１０】
以下に、本発明の実施の形態にかかる端子台、スイッチおよび電力変換装置を図面に基づいて詳細に説明する。なお、この実施の形態によりこの発明が限定されるものではない。
【００１１】
実施の形態１．
まず、本発明の実施の形態１にかかる端子台について説明する。図１は、本発明の実施の形態１にかかる端子台の一例を示す斜視図である。以下の説明において、Ｘ軸に沿った正の方向を右方向とし、Ｘ軸に沿った負の方向を左方向とし、Ｙ軸に沿った正の方向を上方向とし、Ｙ軸に沿った負の方向を下方向とし、Ｚ軸に沿った正の方向を奥方向とし、Ｚ軸に沿った負の方向を手前方向とする。
【００１２】
図１に示す、本発明の実施の形態１にかかる端子台１は、本体２と、本体２上に載置された台座３と、台座３上に設けられた金具４とを備える。本体２は、ポリブチレンテレフタレートなどの熱可塑性樹脂で形成されている。台座３は、フェノールまたは不飽和ポリエステルなどの熱硬化性樹脂で形成されている。金具４は、金属で形成されている。金具４は、導電体の一例である。
【００１３】
本体２は、直方体形状の下部２１と、下部２１の上面左端に形成された直方体形状の左側壁部２２（以下、単に「壁部２２」という場合もある。）と、下部２１の上面右端に形成された直方体形状の右側壁部２３（以下、単に「壁部２３」という場合もある。）とを備える。左側壁部２２と右側壁部２３とは、台座３を間に挟んで対向する。下部２１は、ベースの一例である。本体２は、下部２１と、左側壁部２２と、右側壁部２３とが一体成形されている。台座３および金具４は、左側壁部２２と右側壁部２３との間であって、下部２１の上面に設けられている。Ｘ軸方向の台座３の幅の寸法は、Ｘ軸方向の左側壁部２２と右側壁部２３との間の寸法よりも小さい。
【００１４】
本体２、台座３および金具４は、接続ユニット５を構成する。端子台１は、３つの接続ユニット５で構成される。図１中、左側に配置される接続ユニット５の本体２、中央に配置される接続ユニット５の本体２および右側に配置される接続ユニット５の本体２は、一体成形されている。左側に配置される接続ユニット５の右側壁部２３は、中央に配置される接続ユニット５の左側壁部２２であり、中央に配置される接続ユニット５の右側壁部２３は、右側に配置される接続ユニット５の左側壁部２２である。本実施の形態では、端子台１は、３つの接続ユニット５で構成されているが、２つまたは４つ以上の接続ユニット５で構成されていてもよい。２つまたは４つ以上の接続ユニット５で構成されている場合においても、それぞれの本体２は、一体成形されている。
【００１５】
図２は、図１における台座および金具を示す斜視図である。
【００１６】
図２に示す台座３は、直方体形状の台部３１と、台部３１の下面左端に設けられた、下方に向けて突出する直方体形状の左側脚部３２と、台部３１の下面右端に設けられた、下方に向けて突出する直方体形状の右側脚部３３と、台部３１の上面の奥方向の中央付近に設けられた、たとえば直方体形状の熱硬化性樹脂に直方体形状の穴が形成されたトンネル形状の固定部３４とを備える。左側脚部３２および右側脚部３３は、第１の脚部または第２の脚部の一例である。固定部３４の一端は、台部３１の上面左端に接続する。固定部３４の他端は、台部３１の上面右端に接続する。台座３は、台部３１と、左側脚部３２と、右側脚部３３と、固定部３４とが一体成形されていてもよい。
【００１７】
金具４は、直方体形状である。金具４は、台部３１と固定部３４との間隙に挿通されて台座３に固定される。金具４には、固定部３４よりも手前側に孔４１が形成されている。金具４には、固定部３４よりも奥側に孔４２が形成されている。金具４には、孔４１の周辺において一次側の電線が固定される。金具４には、孔４２の周辺において二次側の電線が固定される。金具４は接続端子の機能を有する。
【００１８】
図３は、図１の端子台を示す正面図である。
【００１９】
図３に示す端子台１において、台座３は左側脚部３２および右側脚部３３を備えているため、台座３と下部２１との間には空間６１が形成されている。台座３と左側壁部２２との間には空間６２が形成されている。台座３と右側壁部２３との間には空間６３が形成されている。
【００２０】
次に、図１の端子台１の使用方法について説明する。
【００２１】
図３に示す左側の接続ユニット５において、電線固定用のねじ７を用いて、電源側である一次側の電線を金具４に固定する。一次側の電線が固定される金具４は、第１の導電体の一例である。一次側の電線が固定される金具４が設けられる台座３は、第１の台座の一例である。たとえば、一次側の電線の端部のメガネ端子の孔と、金具４の孔４１とにねじ７を挿通して締結することにより、一次側の電線を金具４に固定する。同様に、電線固定用のねじ７を用いて、二次側の電線を金具４に固定する。たとえば、二次側の電線の端部のメガネ端子の孔と、金具４の孔４２とにねじ７を挿通して締結することにより、二次側の電線を金具４に固定する。これにより、左側の接続ユニット５において、一次側の電線と、二次側の電線とが、金具４を介して電気的に接続される。金具４にはＺ軸に沿った方向に電流が流れる。
【００２２】
中央の接続ユニット５において、電線固定用のねじ７を用いて、左側の接続ユニット５において接続した一次側の電線とは異なる電圧となる一次側の電線を金具４に固定する。左側の接続ユニット５において接続した一次側の電線とは異なる電圧となる一次側の電線が固定される金具４は、第２の導電体の一例である。左側の接続ユニット５において接続した一次側の電線とは異なる電圧となる一次側の電線が固定される金具４が設けられる台座３は、第２の台座の一例である。同様に、電線固定用のねじ７を用いて、二次側の電線を金具４に固定する。これにより、中央の接続ユニット５において、左側の接続ユニット５において接続した一次側の電線とは異なる電圧となる一次側の電線と、二次側の電線とが、金具４を介して電気的に接続される。金具４にはＺ軸に沿った方向に電流が流れる。
【００２３】
右側の接続ユニット５において、電線固定用のねじ７を用いて、中央の接続ユニット５において接続した一次側の電線とは異なる電圧となる一次側の電線を金具４に固定する。中央の接続ユニット５において接続した一次側の電線とは異なる電圧となる一次側の電線が固定される金具４は、第３の導電体の一例である。中央の接続ユニット５において接続した一次側の電線とは異なる電圧となる一次側の電線が固定される金具４が設けられる台座３は、第３の台座の一例である。同様に、電線固定用のねじ７を用いて、二次側の電線を金具４に固定する。これにより、右側の接続ユニット５において、中央の接続ユニット５において接続した一次側の電線とは異なる電圧となる一次側の電線と、二次側の電線とが、金具４を介して電気的に接続される。金具４にはＺ軸に沿った方向に電流が流れる。
【００２４】
本実施の形態によれば、異なる電圧となる電線が固定される金具４が設けられる台座３同士が離れて配置されている。電線を固定している電線固定用のねじ７が緩んだ場合には、電線と金具４との接触抵抗の増加により金具４で熱が発生する。電線を固定している電線固定用のねじ７が緩んでおらず、電線と金具４との接触抵抗が小さい場合には、発熱量が小さいため問題とならない。金具４で発生した熱によって台座３の温度が上昇すると、熱硬化性樹脂の炭化が進む。熱硬化性樹脂は、炭化することで電気を通す導電性の性質を示す。本実施の形態では、熱によって熱硬化性樹脂の炭化が進んでも、異なる電圧となる電線が固定される金具４が設けられる台座３同士が離れて配置されている、すなわち複数の台座３が別個に存在しているため、異なる電圧となる電線が固定される金具４間を接続する電路は形成されない。異なる電圧となる電線が固定される金具４間の絶縁は保たれる。これにより、異なる電圧となる電線が固定される金具４間が接続されることによる短絡故障を抑制することができる。
【００２５】
本実施の形態によれば、異なる電圧となる電線が固定される金具４が設けられる台座３同士が直接接続されておらず、熱可塑性樹脂で形成された下部２１を介して接続されている。熱可塑性樹脂は、熱硬化性樹脂と比較して、温度が上昇しても炭化しにくい。本実施の形態では、上述した熱によって熱硬化性樹脂の炭化が進んでも、異なる電圧となる電線が固定される金具４が設けられる台座３同士が直接接続されておらず、熱可塑性樹脂で形成された下部２１を介して接続されているため、図３に示す異なる電圧となる電線が固定される金具４間を接続する電路Ｐは形成されない。異なる電圧となる電線が固定される金具４間の絶縁は保たれる。これにより、異なる電圧となる電線が固定される金具４間が接続されることによる短絡故障を抑制することができる。
【００２６】
本実施の形態によれば、異なる電圧となる電線が固定される金具４間に熱可塑性樹脂で形成された壁部２２，２３が設けられる。これにより、異なる電圧となる電線が固定される金具４間が接続されることによる短絡故障がさらに抑制される。
【００２７】
本実施の形態によれば、台座３と下部２１との間には空間６１が形成されている。空間６１が形成されていない場合と比較して、台座３と下部２１との接触面が小さくなる。これにより、上述した熱が台座３を介して下部２１に伝導しにくくなるため、熱可塑性樹脂で形成された下部２１が熱によって溶けることを抑制することができる。
【００２８】
本実施の形態によれば、台座３と左側壁部２２との間には空間６２（隙間）が形成されている。台座３と右側壁部２３との間には空間６３（隙間）が形成されている。これにより、上述した熱が台座３を介して壁部２２，２３に伝導しにくくなるため、熱可塑性樹脂で形成された壁部２２，２３が熱によって溶けることを抑制することができる。
【００２９】
本実施の形態によれば、金具４は台座３上に設けられる。台座３は熱硬化性樹脂で形成されているため、上述した熱が発生した場合においても、たとえば台座が熱可塑性樹脂で形成されている場合と比較して、台座３は変形しづらい。これにより、上述した熱が発生した場合においても、ねじ７の緩みが抑制されて、電線を端子台１から外れにくくすることができる。
【００３０】
実施の形態２．
次に、本発明の実施の形態２にかかる端子台について説明する。図４は、本発明の実施の形態２にかかる端子台の一例を示す正面図である。図４では、中央の接続ユニット５ａに設けられる台座３ａおよび金具４の図示は省略されている。本発明の実施の形態２にかかる端子台１Ａは、台座３ａと下部２１ａとが嵌合している点が、上述した実施の形態１と異なる。実施の形態１と重複した構成および作用については説明を省略し、以下に異なる構成および作用についての説明を行う。
【００３１】
図４に示す、本発明の実施の形態２にかかる端子台１Ａは、本体２ａと、台座３ａとを備える。
【００３２】
本体２ａは、下部２１ａを備える。図５は、図４における本体の下部を示す平面図である。下部２１ａの上面左方には、嵌合溝２１１がＺ軸方向に沿って形成されている。嵌合溝２１１は、嵌合溝２１１の深さが大きくなるに従って、Ｘ軸方向の長さが長くなるように形成されていることが好ましい。嵌合溝２１１は、嵌合溝２１１が延びる方向、すなわちＺ軸方向から見た場合に、台形形状であることが好ましい。下部２１ａの上面右方には、嵌合溝２１２がＺ軸方向に沿って形成されている。嵌合溝２１２は、嵌合溝２１２の深さが大きくなるに従って、Ｘ軸方向の長さが長くなるように形成されていることが好ましい。嵌合溝２１２は、嵌合溝２１２が延びる方向、すなわちＺ軸方向から見た場合に、台形形状であることが好ましい。
【００３３】
台座３ａは、左側脚部３２の下面に設けられた、下方に向けて突出する突出部３５と、右側脚部３３の下面に設けられた、下方に向けて突出する突出部３６とを備える。突出部３５は、嵌合溝２１１と嵌合可能に形成されている。突出部３６は、嵌合溝２１２と嵌合可能に形成されている。突出部３５は、嵌合溝２１１が延びる方向、すなわちＺ軸方向から見た場合に、嵌合溝２１１と同一の台形形状に形成されていることが好ましい。突出部３６は、嵌合溝２１２が延びる方向、すなわちＺ軸方向から見た場合に、嵌合溝２１２と同一の台形形状に形成されていることが好ましい。左側脚部３２と突出部３５とは、一体成形されていてもよい。右側脚部３３と突出部３６とは、一体成形されていてもよい。
【００３４】
本実施の形態によれば、上述した実施の形態１と同様の効果を奏することができるとともに、台座３ａと下部２１ａとを嵌合させることにより、台座３ａの本体２ａへの固定が容易となる。嵌合溝２１１，２１２に突出部３５，３６を差し込むだけで台座３ａの上方への抜け落ちを防ぐ形での固定が可能となる。
【００３５】
実施の形態３．
次に、本発明の実施の形態３にかかる端子台について説明する。図６は、本発明の実施の形態３にかかる端子台の一例を示す正面図である。図６では、中央の接続ユニット５ｂに設けられる台座３ｂおよび金具４の図示は省略されている。本発明の実施の形態３にかかる端子台１Ｂは、台座３ｂと下部２１ｂとが嵌合している点が、上述した実施の形態１と異なる。実施の形態１と重複した構成および作用については説明を省略し、以下に異なる構成および作用についての説明を行う。
【００３６】
図６に示す、本発明の実施の形態３にかかる端子台１Ｂは、本体２ｂと、台座３ｂとを備える。
【００３７】
図７は、図６における台座および金具を示す正面図である。台座３ｂは、台部３１の下面左端に設けられた、正面視台形形状の左側脚部３２ａと、台部３１の下面右端に設けられた、正面視台形形状の右側脚部３３ａとを備える。台座３ｂの下面には、嵌合溝３７が形成されている。嵌合溝３７は、Ｘ軸方向の長さが、深さに比例して長くなるように形成されていることが好ましい。嵌合溝３７は、嵌合溝３７が延びる方向から見た場合に、逆台形形状に形成されていることが好ましい。
【００３８】
本体２ｂは、下部２１ｂを備える。図８は、図６における本体の下部を示す平面図である。下部２１ｂの上面には、上方へ向けて突出する突出部２１３がＺ軸方向に沿って設けられている。突出部２１３は、嵌合溝３７と嵌合可能に形成されている。突出部２１３は、嵌合溝３７が延びる方向から見た場合に、嵌合溝３７と同一の逆台形形状に形成されていることが好ましい。下部２１ｂと突出部２１３とは、一体成形されていてもよい。
【００３９】
本実施の形態によれば、上述した実施の形態１と同様の短絡故障を抑制する効果を奏することができるとともに、台座３ｂと下部２１ｂとを嵌合させることにより、台座３ｂの本体２ｂへの固定が容易となる。突出部２１３に嵌合溝３７を差し込むだけで台座３ｂの上方への抜け落ちを防ぐ形での固定が可能となる。
【００４０】
本実施の形態では、図９に示すように、突出部２１３に溝２１４が形成されていてもよい。図９は、図６における本体の変形例を示す正面図である。突出部２１３に溝２１４が形成されていることにより、突出部２１３に溝２１４が形成されていない場合と比較して、台座３ｂと下部２１ｂとの接触面が小さくなる。これにより、上述した熱が台座３ｂを介して下部２１ｂに伝導しにくくなるため、熱可塑性樹脂で形成された下部２１ｂが熱によって溶けることを抑制することができる。
【００４１】
実施の形態４．
次に、本発明の実施の形態４にかかる端子台について説明する。図１０は、本発明の実施の形態４にかかる端子台の一例を示す斜視図である。本発明の実施の形態４にかかる端子台１Ｃは、台座３ｃの構成が異なる点が、上述した実施の形態１と異なる。実施の形態１と重複した構成および作用については説明を省略し、以下に異なる構成および作用についての説明を行う。
【００４２】
図１０に示す、本発明の実施の形態４にかかる端子台１Ｃは、台座３ｃを備える。台座３ｃは、台部３１ａを備える。台部３１ａは、Ｘ軸方向の寸法が、Ｘ軸方向の壁部２２，２３間の寸法と同一に形成されている。台部３１ａのＸ軸方向の寸法は、Ｘ軸方向の壁部２２，２３間の寸法と若干異なっていてもよい。
【００４３】
本実施の形態によれば、上述した実施の形態１と同様の短絡故障を抑制する効果を奏することができるとともに、台座３ｃの側面を、壁部２２，２３に当接および密着させることができるため、台座３ｃの本体２への固定が容易となる。
【００４４】
実施の形態５．
次に、本発明の実施の形態５にかかる端子台について説明する。図１１は、本発明の実施の形態５にかかる端子台の一例を示す斜視図である。本発明の実施の形態５にかかる端子台１Ｄは、台座３ｄの構成が異なる点が、上述した実施の形態４と異なる。実施の形態４と重複した構成および作用については説明を省略し、以下に異なる構成および作用についての説明を行う。
【００４５】
図１１に示す、本発明の実施の形態５にかかる端子台１Ｄは、台座３ｄを備える。図１２は、図１１の端子台を示す正面図である。台座３ｄは、台部３１ｂを備え、左側脚部３２および右側脚部３３は備えない。このため、台座３ｄの底面は下部２１に密着している。台部３１ｂは、Ｘ軸方向の寸法が、Ｘ軸方向の壁部２２，２３間の寸法と同一に形成されている。台部３１ｂのＸ軸方向の寸法は、Ｘ軸方向の壁部２２，２３間の寸法と若干異なっていてもよい。
【００４６】
本実施の形態によれば、上述した実施の形態４と同様の効果を奏することができるとともに、台座３ｄの側面を、壁部２２，２３に密着させ、かつ台座３ｄの下面を、下部２１に密着させることができるため、台座３ｄの本体２への固定がさらに容易となる。台座３ｄの本体２への固定方法としてねじ止めまたは接着などを採用することができるため、固定方法の選択肢を増やすことができる。
【００４７】
実施の形態６．
次に、本発明の実施の形態６にかかる端子台について説明する。図１３は、本発明の実施の形態６にかかる端子台の一例を示す正面図である。本発明の実施の形態６にかかる端子台１Ｅは、本体２ｃおよび台座３ｅの構成が異なる点が、上述した実施の形態５と異なる。実施の形態５と重複した構成および作用については説明を省略し、以下に異なる構成および作用についての説明を行う。
【００４８】
図１３に示す、本発明の実施の形態６にかかる端子台１Ｅは、本体２ｃと、台座３ｅとを備える。
【００４９】
本体２ｃは、左側壁部２２ａと、右側壁部２３ａとを備える。左側壁部２２ａは、正面視逆台形形状に形成されている。台形とは、下底の長さが上底の長さよりも長い台形のこととする。逆台形とは、上底の長さが下底の長さよりも長い台形のこととする。右側壁部２３ａは、正面視逆台形形状に形成されている。このため、端子台１Ｅには、下部２１の上面を底面とし、左側壁部２２ａおよび右側壁部２３ａ側面とした溝が形成されている。当該溝は、当該溝が延びる方向から見た場合に、当該溝は台形形状である。
【００５０】
図１４は、図１３における台座および金具を示す正面図である。台座３ｅは、台部３１ｃと、固定部３４ａとを備え、左側脚部３２および右側脚部３３を備えていない。台部３１ｃは、正面視台形形状に形成されている。台部３１ｃおよび固定部３４ａの外郭の正面視が台形形状になるように、固定部３４ａの側面は傾斜している。
【００５１】
本実施の形態によれば、上述した実施の形態５と同様の効果を奏することができるとともに、台座３ｅと本体２ｃとを嵌合させることにより、台座３ｅの本体２ｃへの固定が容易となる。左側壁部２２ａと右側壁部２３ａとの間に台座３ｅを差し込むだけで台座３ｅの上方への抜け落ちを防ぐ形での固定が可能となる。
【００５２】
本実施の形態では、図１５に示すように、台部３１ｃの下面に溝３１１が形成されていてもよい。図１５は、図１３における台座の変形例を示す正面図である。台部３１ｃの下面に溝３１１が形成されていることにより、台部３１ｃの下面に溝３１１が形成されていない場合と比較して、台座３ｅと下部２１との接触面が小さくなる。これにより、上述した熱が台座３ｅを介して下部２１に伝導しにくくなるため、熱可塑性樹脂で形成された下部２１が熱によって溶けることを抑制することができる。
【００５３】
実施の形態７．
次に、本発明の実施の形態７にかかる端子台について説明する。図１６は、本発明の実施の形態７にかかる端子台の一例を示す正面図である。本発明の実施の形態７にかかる端子台１Ｆは、断熱材８１が設けられる点が、上述した実施の形態５と異なる。実施の形態５と重複した構成および作用については説明を省略し、以下に異なる構成および作用についての説明を行う。
【００５４】
図１６に示す、本発明の実施の形態７にかかる端子台１Ｆは、断熱材８１を備える。断熱材８１は、台座３ｄと本体２との間に設けられる。断熱材８１は、第１の断熱材および第２の断熱材の一例である。
【００５５】
本実施の形態によれば、上述した実施の形態１と同様の短絡故障を抑制する効果を奏することができるとともに、台座３ｄと本体２との間に断熱材８１が設けられているため、台座３ｄと本体２との間に断熱材８１が設けられていない場合と比較して、上述した熱が台座３ｄを介して本体２に伝導しにくくなる。これにより、熱可塑性樹脂で形成された本体２が上述した熱によって溶けることを抑制することができる。
【００５６】
実施の形態８．
次に、本発明の実施の形態８にかかるスイッチについて説明する。図１７は、本発明の実施の形態８にかかるスイッチの一例を示す平面図である。図１８は、図１７のスイッチを示す右側面図である。図１９は、図１７における本体上部および壁部を示す正面図である。図２０は、図１７における本体上部および壁部を示す右側面図である。図２１は、図１７における台座および金具を示す斜視図である。図２２は、図２１において台座を除いた斜視図である。図２３は、図１７のスイッチがＯＦＦの時の線ＸＸIII−ＸＸIIIに沿う断面図である。図２４は、図１７のスイッチがＯＮの時の線ＸＸIII−ＸＸIIIに沿う断面図である。図２５は、図２４において本体上部および壁部を除いた断面図である。
【００５７】
本発明の実施の形態８にかかるスイッチ１００は、本体上部１０１と、本体下部１０２と、６つの壁部１０３と、４つの台座１０４と、金具１０５，１０６，１０７，１０８と、金具開閉部１０９とを備える。金具１０５は、第１の導電体の一例である。金具１０６は、第２の導電体の一例である。金具１０７は、第３の導電体の一例である。金具１０８は、第４の導電体の一例である。スイッチ１００は、電路を開閉するものである。
【００５８】
本体上部１０１は、ポリブチレンテレフタレートなどの熱可塑性樹脂で形成されている。本体上部１０１は、図１９および図２０に示すように、天井面１０１ａと、正面１０１ｂと、背面１０１ｃと、右側面１０１ｄと、左側面１０１ｅを備える。本体上部１０１は、箱体である。天井面１０１ａには中央に金具開閉部１０９が設けられている。右側面１０１ｄには下端に２つの矩形の切欠き部１０１ｆが形成されている。同様に、左側面１０１ｅにも下端に２つの矩形の切欠き部が形成されている。本体上部１０１は、天井面１０１ａと、正面１０１ｂと、背面１０１ｃと、右側面１０１ｄと、左側面１０１ｅとが一体成形されていてもよい。
【００５９】
本体下部１０２は、ポリブチレンテレフタレートなどの熱可塑性樹脂で形成されている。本体下部１０２は、図１８に示すように、直方体形状である。本体下部１０２の上面には、本体上部１０１、６つの壁部１０３、および４つの台座１０４が設けられている。本体上部１０１と、本体下部１０２との固定方法は、たとえばねじ止めまたは嵌合である。
【００６０】
壁部１０３は、ポリブチレンテレフタレートなどの熱可塑性樹脂で形成されている。壁部１０３は、図１９および図２０に示すように、直方体形状である。壁部１０３は、本体上部１０１の右側面１０１ｄ上に３つ設けられている。壁部１０３は、右側面１０１ｄ上の左端下方、中央下方および右端下方に設けられている。同様に、壁部１０３は、本体上部１０１の左側面１０１ｅ上に３つ設けられている。本体上部１０１および６つの壁部１０３は、一体成形されていてもよい。本体上部１０１、本体下部１０２および６つの壁部１０３は、一体成形されていてもよい。
【００６１】
台座１０４は、上述した実施の形態１の台座３と同様に、フェノールまたは不飽和ポリエステルなどの熱硬化性樹脂で形成されている。台座１０４は、図２１に示すように、直方体形状の下部１０４ａと、下部１０４ａの上面左端に設けられた、直方体形状の左側壁部１０４ｂと、下部１０４ａの上面右端に設けられた、直方体形状の右側壁部１０４ｃとを備える。台座１０４は、一体成形されていてもよい。台座１０４は、壁部１０３間に設けられている。台座１０４は、本体上部１０１に接合されていてもよい。台座１０４と、本体下部１０２または本体上部１０１との固定方法は、たとえばねじ止め、嵌合または接着である。
【００６２】
金具１０５，１０６，１０７，１０８は、金属で形成されている。図２２および図２３に示すように、金具１０５，１０７は、直方体形状の本体１０５ａ，１０７ａを備える。金具１０６，１０８の本体１０６ａ，１０８ａは、正面視の断面がＳ字形状である。金具１０５，１０６，１０７，１０８は、本体１０５ａ，１０６ａ，１０７ａ，１０８ａの一端に固定部１０５ｂ，１０６ｂ，１０７ｂ，１０８ｂを備える。固定部１０５ｂ，１０６ｂ，１０７ｂ，１０８ｂは、上面１０５ｃ，１０６ｃ，１０７ｃ，１０８ｃ、左側面１０５ｄ，１０６ｄ，１０７ｄ，１０８ｄ、および右側面１０５ｅ，１０６ｅ，１０７ｅ，１０８ｅを備える。上面１０５ｃ，１０６ｃ，１０７ｃ，１０８ｃの中央には、孔１０５ｆ，１０６ｆ，１０７ｆ，１０８ｆが形成されている。金具１０５，１０６，１０７，１０８は、それぞれ一体成形されていてもよい。金具１０５，１０６，１０７，１０８は、台座１０４の左側壁部１０４ｂと台座１０４の右側壁部１０４ｃとの間であって、台座１０４の下部１０４ａの上面に設けられている。金具１０５，１０６，１０７，１０８と、台座１０４との固定方法は、たとえばねじ止めまたは嵌合である。
【００６３】
金具開閉部１０９は、図２５に示すように、可動部１０９ａと、接触部１０９ｂとを備える。金具開閉部１０９は、開閉部の一例である。可動部１０９ａは、一端が本体上部１０１の天井面１０１ａから突出している。接触部１０９ｂは、可動部１０９ａの他端に設けられている。接触部１０９ｂは、電気絶縁体である。金具開閉部１０９は、金具１０５と金具１０６との間の電路を開閉するとともに、金具１０７と金具１０８との間の電路を開閉する。
【００６４】
次に、図１７のスイッチ１００の使用方法について説明する。
【００６５】
金具１０５において、図１８および図２３に示すように、電線固定用のねじ１１０を用いて、二次側の電線を金具１０５に固定する。二次側の電線が固定される金具１０５が設けられる台座１０４は、第１の台座部分の一例である。たとえば、金具１０５の孔１０５ｆにねじ１１０を挿通し、二次側の電線の端部のメガネ端子または棒端子をねじ１１０によって押圧して金具１０５に固定する。同様に、金具１０６において、電線固定用のねじ１１０を用いて、一次側の電線を金具１０６に固定する。一次側の電線が固定される金具１０６が設けられる台座１０４は、第２の台座部分の一例である。たとえば、金具１０６の孔１０６ｆにねじ１１０を挿通し、一次側の電線の端部のメガネ端子または棒端子をねじ１１０によって押圧して金具１０６に固定する。
【００６６】
同様に、金具１０７において、電線固定用のねじ１１０を用いて、二次側の電線を金具１０７に固定する。二次側の電線が固定される金具１０７が設けられる台座１０４は、第３の台座部分の一例である。たとえば、金具１０７の孔１０７ｆにねじ１１０を挿通し、二次側の電線の端部のメガネ端子または棒端子をねじ１１０によって押圧して金具１０７に固定する。同様に、金具１０８において、電線固定用のねじ１１０を用いて、金具１０６において接続した一次側の電線とは異なる電圧となる一次側の電線を金具１０８に固定する。金具１０６において接続した一次側の電線とは異なる電圧となる一次側の電線が固定される金具１０８が設けられる台座１０４は、第４の台座部分の一例である。たとえば、金具１０８の孔１０８ｆにねじ１１０を挿通し、金具１０６において接続した一次側の電線とは異なる電圧となる一次側の電線の端部のメガネ端子または棒端子をねじ１１０によって押圧して金具１０８に固定する。
【００６７】
そして、図２４に示すように、スイッチ１００がＯＮになると、金具開閉部１０９の接触部１０９ｂが、金具１０６，１０８の本体１０６ａ，１０８ａを押し下げる。金具１０５の本体１０５ａと金具１０６の本体１０６ａとが接触するとともに、金具１０７の本体１０７ａと金具１０８の本体１０８ａとが接触する。これにより、一次側の電線と、二次側の電線とが、金具１０５，１０６を介して電気的に接続されるとともに、金具１０６において接続した一次側の電線とは異なる電圧となる一次側の電線と、二次側の電線とが、金具１０７，１０８を介して電気的に接続される。
【００６８】
本実施の形態によれば、異なる電圧となる電線が固定される金具１０５，１０７が設けられる台座１０４同士が離れて配置されている。電線を固定している電線固定用のねじ１１０が緩んだ場合には、電線と金具１０５，１０７との接触抵抗の増加により金具１０５，１０７で熱が発生する。金具１０５，１０７で発生した熱によって熱硬化性樹脂で形成された台座１０４の温度が上昇すると、熱硬化性樹脂の炭化が進む。熱硬化性樹脂は、炭化することで電気を通す導電性の性質を示す。本実施の形態では、熱によって熱硬化性樹脂の炭化が進んでも、異なる電圧となる電線が固定される金具１０５，１０７が設けられる台座１０４同士が離れて配置されているため、異なる電圧となる電線が固定される金具１０５，１０７間を接続する電路は形成されない。異なる電圧となる電線が固定されるたとえば金具１０５，１０７間の絶縁は保たれる。これにより、異なる電圧となる電線が固定されるたとえば金具１０５，１０７間が接続されることによる短絡故障を抑制することができる。
【００６９】
本実施の形態によれば、異なる電圧となる電線が固定されるたとえば金具１０５，１０７が設けられる台座１０４同士が直接接続されておらず、熱可塑性樹脂で形成された本体下部１０２または壁部１０３を介して接続されている。熱可塑性樹脂は、熱硬化性樹脂と比較して、温度が上昇しても炭化しにくい。本実施の形態では、上述した熱によって熱硬化性樹脂の炭化が進んでも、たとえば、異なる電圧となる電線が固定される金具１０５，１０７が設けられる台座１０４同士が直接接続されておらず、熱可塑性樹脂で形成された本体下部１０２または壁部１０３を介して接続されているため、異なる電圧となる電線が固定される金具１０５，１０７間を接続する電路は形成されない。異なる電圧となる電線が固定されるたとえば金具１０５，１０７間の絶縁は保たれる。これにより、異なる電圧となる電線が固定されるたとえば金具１０５，１０７間が接続されることによる短絡故障を抑制することができる。
【００７０】
本実施の形態によれば、異なる電圧となる電線が固定されるたとえば金具１０５，１０７間に熱可塑性樹脂で形成された壁部１０３が設けられる。これにより、異なる電圧となる電線が固定されるたとえば金具１０５，１０７間が接続されることによる短絡故障がさらに抑制される。
【００７１】
本実施の形態によれば、金具１０５，１０６，１０７，１０８は台座１０４上に設けられる。台座１０４は熱硬化性樹脂で形成されているため、上述した熱が発生した場合においても、たとえば台座が熱可塑性樹脂で形成されている場合と比較して、台座１０４は変形しづらい。これにより、上述した熱が発生した場合においても、ねじ１１０の緩みが抑制されて、電線をスイッチ１００から外れにくくすることができる。
【００７２】
本実施の形態では、図２６に示すように、台座１０４は、左側壁部１０４ｂと、右側壁部１０４ｃとを備えなくてもよい。図２６は、図１７における台座の変形例を示す斜視図である。この場合、台座１０４が左側壁部１０４ｂと右側壁部１０４ｃとを備える場合と比較して、台座１０４の構成を簡素な構成にすることができる。
【００７３】
実施の形態９．
次に、本発明の実施の形態９にかかるスイッチについて説明する。図２７は、本発明の実施の形態９にかかるスイッチの一例を示す右側面図である。図２８は、図２７における台座および金具を示す平面図である。図２９は、図２７において本体上部および壁部を除いた、スイッチがＯＮの時の線ＸＸIＸ−ＸＸIＸに沿う断面図である。本発明の実施の形態９にかかるスイッチ１００Ａは、台座１２１の構成が異なる点、および本体下部１０２を備えない点が、上述した実施の形態８と異なる。実施の形態８と重複した構成および作用については説明を省略し、以下に異なる構成および作用についての説明を行う。
【００７４】
本発明の実施の形態９にかかるスイッチ１００Ａは、本体上部１０１と、６つの壁部１０３と、台座１２１と、金具１０５，１０６，１０７，１０８と、金具開閉部１０９とを備える。
【００７５】
台座１２１は、フェノールまたは不飽和ポリエステルなどの熱硬化性樹脂で形成されている。台座１２１は、図２８に示すように、平面視Ｉ字形状である。台座１２１には、図２８中、右端中央に切欠き部１２２が形成されている。同様に、台座１２１には、図２８中、左端中央に切欠き部１２３が形成されている。金具１０５，１０６，１０７，１０８は、図２８および図２９に示すように、台座１２１の上面に設けられている。切欠き部１２２は、電線が固定される付近の金具１０５，１０７間に位置する。切欠き部１２３は、電線が固定される付近の金具１０６，１０８間に位置する。切欠き部１２２は、台座１２１において金具１０５，１０７の固定部１０５ｂ，１０７ｂよりも中央側へ延ばされているのが好ましい。切欠き部１２３は、台座１２１において金具１０６，１０８の固定部１０６ｂ，１０８ｂよりも中央側へ延ばされているのが好ましい。本体上部１０１と、台座１２１との固定方法は、たとえばねじ止め、嵌合または接着である。
【００７６】
本実施の形態によれば、図２８に示すように、たとえば、電線が固定される付近の金具１０５が設けられる台座部分１２４と、金具１０５に固定される電線とは異なる電圧となる電線が固定される付近の金具１０７が設けられる台座部分１２６とが離れて配置されている。台座部分１２４は、第１の台座部分の一例である。台座部分１２６は、第３の台座部分の一例である。同様に、電線が固定される付近の金具１０６が設けられる台座部分１２５と、金具１０６に固定される電線とは異なる電圧となる電線が固定される付近の金具１０８が設けられる台座部分１２７とが離れて配置されている。台座部分１２５は、第２の台座部分の一例である。台座部分１２７は、第４の台座部分の一例である。本実施の形態では、上述した熱によって熱硬化性樹脂の炭化が進んでも、たとえば、電線が固定される付近の金具１０５が設けられる台座部分１２４と、金具１０５に固定される電線とは異なる電圧となる電線が固定される付近の金具１０７が設けられる台座部分１２６とが離れて配置されているため、異なる電圧となる電線が固定される付近の金具１０５，１０７間を接続する電路が形成されにくくなる。異なる電圧となる電線が固定される付近のたとえば金具１０５，１０７間の絶縁が保たれやすくなる。これにより、異なる電圧となる電線が固定される付近のたとえば金具１０５，１０７間が接続されることによる短絡故障を抑制することができる。
【００７７】
本実施の形態では、図３０に示すように、台座１２１には、切欠き部１２２，１２３に代えて、空洞部１２８，１２９が形成されていてもよい。図３０は、図２７における台座の変形例を示す平面図である。台座１２１には、図３０中、右方中央に空洞部１２８が形成されている。同様に、台座１２１には、図３０中、左方中央に空洞部１２９が形成されている。空洞部１２８は、電線が固定される付近の金具１０５，１０７間に位置する。空洞部１２９は、電線が固定される付近の金具１０６，１０８間に位置する。この場合、台座１２１に切欠き部１２２，１２３が形成される場合と比較して、台座１２１の強度を高くすることができる。空洞部１２８は、台座１２１において金具１０５，１０７の固定部１０５ｂ，１０７ｂよりも図３０中の中央側および右側へ延ばされているのが好ましい。空洞部１２９は、台座１２１において金具１０６，１０８の固定部１０６ｂ，１０８ｂよりも図３０中の中央側および左側へ延ばされているのが好ましい。
【００７８】
実施の形態１０．
次に、本発明の実施の形態１０にかかる電力変換装置について説明する。図３１は、本発明の実施の形態１０にかかる電力変換装置の構成を説明するための図である。
【００７９】
図３１に示す、本発明の実施の形態１０にかかる電力変換装置４００は、ＤＣ（Direct  Current）端子台４０１と、ＤＣ／ＤＣ昇圧回路４０２と、ＤＣ／ＡＣ（Alternating  Current）インバータ４０３と、電力フィルタ４０４と、電磁開閉器４０５と、ＡＣ端子台４０６とを備える。ＤＣ端子台４０１は、上述した実施の形態１から７のいずれかに示される端子台である。ＡＣ端子台４０６は、上述した実施の形態１から７のいずれかに示される端子台である。
【００８０】
太陽電池といった直流電源５０１からの直流電力は、ＤＣ端子台４０１を介してＤＣ／ＤＣ昇圧回路４０２に供給されて昇圧される。ＤＣ／ＤＣ昇圧回路４０２により昇圧された直流電力は、ＤＣ／ＡＣインバータ４０３および電力フィルタ４０４により直交変換される。交流電力系統５０２との系統連系では、電磁開閉器４０５が用いられることがある。ＤＣ／ＡＣインバータ４０３および電力フィルタ４０４により直交変換された交流電力は、ＡＣ端子台４０６を介して交流電力系統５０２に供給可能である。
【００８１】
本実施の形態では、図３２に示すように、電力変換装置４００は、ＤＣ端子台４０１に代えて、スイッチ４０７を備えていてもよい。図３２は、図３１における電力変換装置の変形例を説明するための図である。スイッチ４０７は、上述した実施の形態８または９に示されるスイッチである。この場合、直流電源５０１からの直流電力は、スイッチ４０７を介してＤＣ／ＤＣ昇圧回路４０２に供給される。
【００８２】
本実施の形態では、図３３に示すように、電力変換装置４００は、ＤＣ端子台４０１およびスイッチ４０７を備えていてもよい。図３３は、図３１における電力変換装置の変形例を説明するための図である。この場合、直流電源５０１からの直流電力は、ＤＣ端子台４０１およびスイッチ４０７を介してＤＣ／ＤＣ昇圧回路４０２に供給される。
【００８３】
図３３に示す電力変換装置４００では、ＤＣ端子台４０１とＤＣ／ＤＣ昇圧回路４０２との間にスイッチ４０７が設けられていたが、電磁開閉器４０５とＡＣ端子台４０６との間においても上述した実施の形態８または９に示されるスイッチが設けられていてもよい。この場合、ＤＣ／ＡＣインバータ４０３および電力フィルタ４０４により直交変換された交流電力は、スイッチおよびＡＣ端子台４０６を介して交流電力系統５０２に供給可能である。
【００８４】
以上の実施の形態に示した構成は、本発明の内容の一例を示すものであり、別の公知の技術と組み合わせることも可能であるし、本発明の要旨を逸脱しない範囲で、構成の一部を省略および変更することも可能である。
【符号の説明】
【００８５】
１，１Ａ，１Ｂ，１Ｃ，１Ｄ，１Ｅ，１Ｆ  端子台、２，２ａ，２ｂ，２ｃ，１０５ａ，１０６ａ，１０７ａ，１０８ａ  本体、３，３ａ，３ｂ，３ｃ，３ｄ，３ｅ，１０４，１２１  台座、４，１０５，１０６，１０７，１０８  金具、５，５ａ，５ｂ，５ｃ，５ｄ，５ｅ，５ｆ  接続ユニット、７，１１０  ねじ、２１，２１ａ，２１ｂ，１０４ａ  下部、２２，２２ａ，１０４ｂ  左側壁部、２３，２３ａ，１０４ｃ  右側壁部、３１，３１ａ，３１ｂ，３１ｃ  台部、３２，３２ａ  左側脚部、３３，３３ａ  右側脚部、３４，３４ａ，１０５ｂ，１０６ｂ，１０７ｂ，１０８ｂ  固定部、３５，３６，２１３  突出部、３７，２１１，２１２  嵌合溝、４１，４２，１０５ｆ，１０６ｆ，１０７ｆ，１０８ｆ  孔、６１，６２，６３  空間、８１  断熱材、１００，１００Ａ，４０７  スイッチ、１０１  本体上部、１０１ａ  天井面、１０１ｂ  正面、１０１ｃ  背面、１０１ｄ，１０５ｅ，１０６ｅ，１０７ｅ，１０８ｅ  右側面、１０１ｅ，１０５ｄ，１０６ｄ，１０７ｄ，１０８ｄ  左側面、１０１ｆ，１２２，１２３  切欠き部、１０２  本体下部、１０３  壁部、１０５ｃ，１０６ｃ，１０７ｃ，１０８ｃ  上面、１０９  金具開閉部、１０９ａ  可動部、１０９ｂ  接触部、１２４，１２５，１２６，１２７  台座部分、１２８，１２９  空洞部、２１４，３１１  溝、４００  電力変換装置、４０１  ＤＣ端子台、４０２  ＤＣ／ＤＣ昇圧回路、４０３  ＤＣ／ＡＣインバータ、４０４  電力フィルタ、４０５  電磁開閉器、４０６  ＡＣ端子台、５０１  直流電源、５０２  交流電力系統、Ｐ  電路。
【図１】
2019096574.tif 000003
【図２】
2019096574.tif 000004
【図３】
2019096574.tif 000005
【図４】
2019096574.tif 000006
【図５】
2019096574.tif 000007
【図６】
2019096574.tif 000008
【図７】
2019096574.tif 000009
【図８】
2019096574.tif 000010
【図９】
2019096574.tif 000011
【図１０】
2019096574.tif 000012
【図１１】
2019096574.tif 000013
【図１２】
2019096574.tif 000014
【図１３】
2019096574.tif 000015
【図１４】
2019096574.tif 000016
【図１５】
2019096574.tif 000017
【図１６】
2019096574.tif 000018
【図１７】
2019096574.tif 000019
【図１８】
2019096574.tif 000020
【図１９】
2019096574.tif 000021
【図２０】
2019096574.tif 000022
【図２１】
2019096574.tif 000023
【図２２】
2019096574.tif 000024
【図２３】
2019096574.tif 000025
【図２４】
2019096574.tif 000026
【図２５】
2019096574.tif 000027
【図２６】
2019096574.tif 000028
【図２７】
2019096574.tif 000029
【図２８】
2019096574.tif 000030
【図２９】
2019096574.tif 000031
【図３０】
2019096574.tif 000032
【図３１】
2019096574.tif 000033
【図３２】
2019096574.tif 000034
【図３３】
2019096574.tif 000035